(57)【特許請求の範囲】
【請求項１】
バッテリによって供給される電力で動作する視聴装置であって、
選局されたチャネルに基づく放送番組を録画操作に応答して録画する録画手段、
前記放送番組をモニタに表示し、前記バッテリの残量では当該放送番組を最後まで表示できない場合に録画を勧めるメッセージをさらに表示する表示手段、および
前記録画手段により前記放送番組が録画中であって、前記表示手段による前記放送番組の表示が前記モニタを駆動するドライバへの電力供給の抑制により中断されている場合、前記放送番組の録画を終了する操作があったときには、前記録画手段による前記放送番組の録画を終了して、前記電力供給の抑制を解除することで、前記表示手段に、前記選局されたチャネルに基づく放送中の放送番組の表示を再開させる制御手段を備える、視聴装置。
【請求項２】
前記制御手段は、前記録画手段により前記放送番組が録画中であって、前記ドライバへの電力供給の抑制により前記表示手段による前記放送番組の表示が中断されている場合、前記放送番組の録画を終了する操作がなかったときには前記放送番組の録画および表示中断を継続する、請求項１記載の視聴装置。
【請求項３】
バッテリによって供給される電力で動作する視聴装置の制御方法であって、
選局されたチャネルに基づく放送番組を録画操作に応答して録画する録画ステップ、
前記放送番組をモニタに表示し、前記バッテリの残量では当該放送番組を最後まで表示できない場合に録画を勧めるメッセージをさらに表示する表示ステップ、および
前記録画ステップにより前記放送番組が録画中であって、前記表示ステップによる前記放送番組の表示が前記モニタを駆動するドライバへの電力供給の抑制により中断されている場合、前記放送番組の録画を終了する操作があったときには、前記録画ステップによる前記放送番組の録画を終了して、前記電力供給の抑制を解除することで、前記表示ステップに、前記選局されたチャネルに基づく放送中の放送番組の表示を再開させる制御ステップを含む、制御方法。
【請求項４】
バッテリによって供給される電力で動作する視聴装置のコンピュータを、
選局されたチャネルに基づく放送番組を録画操作に応答して録画する録画ステップ、
前記放送番組をモニタに表示し、前記バッテリの残量では当該放送番組を最後まで表示できない場合に録画を勧めるメッセージをさらに表示する表示ステップ、および
前記録画ステップにより前記放送番組が録画中であって、前記表示ステップによる前記放送番組の表示が前記モニタを駆動するドライバへの電力供給の抑制により中断されている場合、前記放送番組の録画を終了する操作があったときには、前記録画ステップによる前記放送番組の録画を終了して、前記電力供給の抑制を解除することで、前記表示ステップに、前記選局されたチャネルに基づく放送中の放送番組の表示を再開させる制御ステップとして機能させる、制御プログラム。
【発明の詳細な説明】
【技術分野】
【０００１】
この発明は、視聴装置に関し、特にたとえば、バッテリで駆動される、視聴装置に関する。
【背景技術】
【０００２】
この種の装置の一例が、特許文献１に開示されている。この従来装置は、ＰＣ等の外部機器から楽曲データを取り込み、取り込まれた楽曲データを記憶し、そして記憶された楽曲データを再生する。かかる動作のための電力は、内蔵電池から供給される。電池残量が閾値以下になると、楽曲の特定区間たとえば間奏区間において再生速度を遅くすることで、楽曲全体の再生を確保する。
【特許文献１】特開２００６−２１１８０７号公報［02J 7/00］
【発明の開示】
【発明が解決しようとする課題】
【０００３】
しかし、特許文献１は、予め記憶された楽曲の再生を確保する方策については開示するものの、放送番組の視聴を確保する方策については何ら開示していない。
【０００４】
それゆえに、この発明の主たる目的は、バッテリ残量が少ない状態で放送番組の視聴を確保できる、視聴装置を提供することである。
【課題を解決するための手段】
【０００５】
第１の態様に従う視聴装置(10：実施例で相当する参照符号。以下同じ)は、バッテリ(30)によって供給される電力で動作する視聴装置であって、現在放送されている第１放送番組を録画操作に応答して録画する第１録画手段(42,S21,S27,S29)、第１録画手段との間で相補的に起動され第１放送番組を表示する表示手段(32,S25,S31)、表示手段の表示処理が実行されているとき第１放送番組の残り放送時間を算出する第１算出手段(S43,S4)、バッテリの残量で規定される第１録画手段の録画可能時間を第１算出手段の算出処理に関連して算出する第２算出手段(S47)、および第１算出手段によって算出された残り放送時
間と第２算出手段によって算出された録画可能時間とが第１条件を満足するときメッセージを出力する出力手段(S53)を備える。
【０００６】
視聴装置が動作するための電力はバッテリによって供給される。現在放送されている第１放送番組は、録画操作に応答して第１録画手段により録画され、第１録画手段の録画処理が実行されていないときだけ表示手段によって表示される。
【０００７】
表示手段の表示処理が実行されているとき、第１算出手段は第１放送番組の残り放送時間を算出し、第２算出手段はバッテリの残量で規定される第１録画手段の録画可能時間を算出する。出力手段は、第１算出手段によって算出された残り放送時間と第２算出手段によって算出された録画可能時間とが第１条件を満足するとき、メッセージを出力する。
【０００８】
表示手段の表示処理に要する電力は、第１録画手段の録画処理に要する電力よりも大きい。ユーザがメッセージに応じて録画操作を行えば、表示手段の表示処理は中断され、第１録画手段の録画処理が開始される。必要なバッテリ残量のあるうちに録画処理に移行することで、第１放送番組の残りの録画が可能となり、バッテリ残量が少ない状態であっても、第１放送番組の視聴が確保される。
【０００９】
第２の態様に従う視聴装置は、第１の態様に従属し、第１条件は第１算出手段によって算出された残り放送時間が第２算出手段によって算出された録画可能時間を下回るという条件である。
【００１０】
第３の態様に従う視聴装置は、第１または２の態様に従属し、メッセージは録画操作を促すメッセージである。
【００１１】
第４の態様に従う視聴装置は、第１ないし３のいずれかの態様に従属し、移動通信網と協働して無線通信を行う無線通信手段(14)をさらに備える。
【００１２】
無線通信手段が移動通信網と協働して無線通信を行うことで、番組視聴に加え、通話やデータ通信も可能となる。
【００１３】
第５の態様に従う視聴装置は、第４の態様に従属し、将来放送されるべき第２放送番組の録画を予約する予約手段(S15)、予約手段によって予約された第２放送番組を録画する第２録画手段(42,S89)、予約手段の予約処理に応答して第２録画手段による録画処理の完遂に必要なバッテリの残量を算出する第３算出手段(S65)、予約手段の予約完了から第２録画手段の録画開始までの期間にバッテリの残量を検知する検知手段(S67)、検知手段によって検知された残量と第３算出手段によって算出された残量とが第２条件を満足するとき無線通信手段の動作を少なくとも禁止する禁止手段(S73,S33)を備える。
【００１４】
予約手段は将来放送されるべき第２放送番組の録画を予約し、第２録画手段は予約手段によって予約された第２放送番組を録画する。第３算出手段は、第２録画手段による録画処理の完遂に必要なバッテリの残量を、予約手段の予約処理に応答して算出する。
【００１５】
検知手段は予約手段の予約完了から第２録画手段の録画開始までの期間にバッテリの残量を検知する。禁止手段は、検知手段によって検知された残量と第３算出手段によって算出された残量とが第２条件を満足するとき少なくとも無線通信手段の動作を禁止する。
【００１６】
こうして、バッテリの残量が少ない状態では、無線通信よりも第２録画手段の録画処理を優先することで、第２録画手段の録画処理の完遂が可能となり、予約された第２放送番組の視聴も確保できる。
【００１７】
第６の態様に従う視聴装置は、第５の態様に従属し、第２条件は検知手段によって検知された残量が第３算出手段によって算出された残量を下回るという条件である。
【００１８】
第７の態様に従う視聴装置は、第５または６の態様に従属し、禁止手段は第１録画手段および表示手段の各々の処理をさらに禁止する。これにより、予約録画完遂の可能性が高まる。
【００１９】
第８の態様に従う視聴装置は、第４ないし７のいずれかの態様に従属し、無線通信手段を通して電子番組案内情報を取得する取得手段(S35)をさらに備える。
【００２０】
取得手段は、無線通信手段を通して電子番組案内情報（ＥＰＧ情報）を取得する。一定範囲のＥＰＧ情報は放送電波に含めて提供されるが、取得手段の取得処理によって、より広範囲のＥＰＧ情報の利用が可能となる。
第９の態様に従う視聴装置は、バッテリによって供給される電力で動作する視聴装置であって、選局されたチャネルに基づく放送番組を録画操作に応答して録画する録画手段、放送番組をモニタに表示し、バッテリの残量では当該放送番組を最後まで表示できない場合に録画を勧めるメッセージをさらに表示する表示手段、および録画手段により放送番組が録画中であって、表示手段による放送番組の表示がモニタを駆動するドライバへの電力供給の抑制により中断されている場合、放送番組の録画を終了する操作があったときには、録画手段による放送番組の録画を終了して、電力供給の抑制を解除することで、表示手段に、選局されたチャネルに基づく放送中の放送番組の表示を再開させる制御手段を備える。
第１０の態様に従う視聴装置は、第９の態様に従属し、制御手段は、録画手段により放送番組が録画中であって、表示手段による放送番組の表示がドライバへの電力供給の抑制により中断されている場合、放送番組の録画を終了する操作がなかったときには放送番組の録画および表示中断を継続する。
【発明の効果】
【００２１】
この発明によれば、バッテリ残量が少ない状態で、放送番組の視聴を確保することができる。
【００２２】
この発明の上述の目的，その他の目的，特徴および利点は、図面を参照して行う以下の実施例の詳細な説明から一層明らかとなろう。
【発明を実施するための最良の形態】
【００２３】
図１を参照して、この実施例の携帯電話機１０は、キー入力装置２４を含む。キー入力装置２４によって発呼操作が行われると、ＣＰＵ２６は、無線通信回路１４およびデータ処理回路１６を制御して発呼信号を出力する。出力された発呼信号は、アンテナ１２から放出され、移動通信網を経て通話相手の電話機に送信される。通話相手が着呼操作を行うと、通話可能状態が確立される。
【００２４】
一方、通話相手からの発呼信号がアンテナ１２によって捉えられると、無線通信回路１４は、着信をＣＰＵ２６に通知する。ＣＰＵ２６は、ＬＣＤドライバ３２を制御して、着信通知に記述された発信元情報をＬＣＤモニタ３４に表示し、かつ無線通信回路１４およびデータ処理回路１６を制御して着信音をスピーカ２０から出力する。キー入力装置２４によって着呼操作が行われると、通話可能状態が確立される。
【００２５】
通話可能状態では、次のような処理が実行される。通話相手から送られてきた変調音声信号（高周波信号）はアンテナ１２によって捉えられ、捉えられた変調音声信号は無線通信回路１４によって復調処理を施される。復調された音声信号は、データ処理回路１６によってＤＡ変換処理を施されることで、アナログ信号である受話音声信号に変換される。変換された受話音声信号はスピーカ２０に入力され、スピーカ２０から受話音声が出力される。
【００２６】
マイクロフォン１８によって取り込まれた送話音声信号は、データ処理回路１６によってＡＤ変換処理を施されることで、ディジタル信号である送話音声データに変換される。変換された送話音声データは無線通信回路１４によって変調処理を施され、これにより変調音声信号が生成される。生成された変調音声信号は、上述と同様、アンテナ１２を利用して通話相手に送信される。
【００２７】
通話可能状態が確立された後に、キー入力装置２４によってオフフック操作が行われるか、あるいは通話相手がオフフック操作を行うと、携帯電話機１０の状態は通話可能状態から非通話状態に移行する。
【００２８】
以上のように、無線通信回路１４およびデータ処理回路１６が起動状態にあって、発着信が可能な状態を、待受け状態と呼ぶ。
【００２９】
キー入力装置２４によってＴＶ起動操作が行われると、携帯電話機１０はＴＶモードの１つである視聴モードに移行する。ＣＰＵ２６は、ＴＶ受信回路３８およびデータ処理回路４０への電源の供給を開始し、初期チャネルの選局をＴＶ受信回路３８に命令する。前回ＴＶ停止操作が行われたとき選局されていたチャネルがフラッシュメモリ２２に記憶されており、ＴＶ受信回路３８は記憶されたチャネルを初期チャネルとして選局する。
【００３０】
ＴＶ受信回路３８は、アンテナ３６を通して高周波テレビジョン信号を受信し、受信された高周波テレビジョン信号から初期チャネルの番組信号を抽出する。抽出された番組信号は、データ処理回路４０によって復調処理および復号処理を施され、これにより番組映像データ，番組音声データおよびＥＰＧ(Electronic Program Guide)データが生成される。
【００３１】
生成された番組映像データはＬＣＤドライバ３２に与えられ、生成された番組音声データはデータ処理回路１６に与えられ、そして生成されたＥＰＧデータはＣＰＵ２６に与えられる。ＣＰＵ２６は、与えられたＥＰＧデータをフラッシュメモリ２２に格納し、そして番組映像の表示をＬＣＤドライバ３２に命令し、かつ番組音声の出力をデータ処理回路１６に命令する。
【００３２】
ＬＣＤドライバ３２は、与えられた番組映像データに従ってＬＣＤモニタ３４を駆動し、これにより番組映像がＬＣＤモニタ３４に表示される。データ処理回路１６は、与えられた番組音声データを番組音声信号に変換し、変換された番組音声信号をスピーカ２０に入力する。これにより、スピーカ２０から番組音声が出力される。
【００３３】
キー入力装置２４によってチャネル変更操作が行われると、ＣＰＵ２６はＴＶ受信回路３８に対してチューニングの実行を命令する。ＴＶ受信回路３８は、番組信号を抽出すべきチャネルを所望のチャネルに変更する。また、キー入力装置２４によってＴＶ停止操作が行われると、ＣＰＵ２６は、ＴＶ受信回路３８およびデータ処理回路４０への電源の供給を停止する。これによって、ＴＶ受信機能が停止する。
【００３４】
ＴＶ視聴中にキー入力装置２４によって録画開始操作が行われると、携帯電話機１０は視聴モードからＴＶモードの他の１つである通常録画モードに移行する。ＣＰＵ２６は、記録処理回路４２への電源の供給をさらに開始し、生成された番組映像データおよび生成された番組音声データ（以下“番組データ”）の供給先をＬＣＤドライバ３２およびデータ処理回路１６から記録処理回路４２に変更し、そして番組データの記録媒体４４への記録（以下“録画処理”）の開始を記録処理回路４２に命令する。ＬＣＤドライバ３２およびデータ処理回路１６への電力供給は抑制される。これによって、番組映像の表示および番組音声の出力（以下“番組表示”）は中断され、録画処理が開始される。
【００３５】
また、キー入力装置２４によって録画停止操作が行われると、携帯電話機１０は通常録画モードから視聴モードに復帰する。ＣＰＵ２６は、ＬＣＤドライバ３２およびデータ処理回路１６への電力供給の抑制を解除して、番組データの供給先を記録処理回路４２からＬＣＤドライバ３２およびデータ処理回路１６に戻し、記録処理回路４２への電源の供給を停止する。これによって、録画処理は停止され、番組表示が再開される。
【００３６】
キー入力装置２４によって録画予約操作が行われると、携帯電話機１０はＴＶモードのその他の１つである予約録画モードに移行し、ＣＰＵ２６は予約設定を行う。具体的には、録画予約操作に基づいて録画予約情報を生成し、生成された録画予約情報をフラッシュメモリ２２に格納する。録画予約情報には、録画すべき番組のチャネル，開始時刻および終了時刻が記述される。
【００３７】
なお、この録画予約操作は、過去に高周波テレビジョン信号から抽出され、フラッシュメモリ２２に格納されたＥＰＧ情報に基づく。不足するＥＰＧ情報は、インターネットからダウンロードすることが可能である。具体的には、キー入力装置２４によってデータ通信モードを選択し、無線通信回路１４およびデータ処理回路１６を制御してダウンロードを行う。または、キー入力装置２４の操作によって、チャネル，開始時刻および終了時刻を逐一入力してもよい。
【００３８】
予約設定が完了すると、携帯電話機１０の状態は、待受け状態となる。そして、フラッシュメモリ２２の録画予約情報に記述された開始時刻が到来する直前たとえば１分前になると、ＣＰＵ２６は、ＴＶ受信回路３８，データ処理回路４０および記録処理回路４２への電源の供給を開始し、録画予約情報に記述されたチャネルの選局をＴＶ受信回路３８に命令する。ＴＶ受信回路３８による選局処理が完了し、開始時刻が到来すると、ＣＰＵ２６は録画処理の開始を記録処理回路４２に命令する。この後、録画予約情報に記述された終了時刻が到来すると、ＣＰＵ２６は、ＴＶ受信回路３８，データ処理回路４０および記録処理回路４２への電源の供給を停止する。予約番組は、こうして録画される。予約番組の録画が完了すると、携帯電話機１０は予約録画モードを脱する。
【００３９】
ところで、携帯電話機１０では、ＣＰＵ２６，無線通信回路１４，ＴＶ受信回路３８その他の要素が動作するための電源は、バッテリ３０によって電源回路２８を通して供給される。ＣＰＵ２６による前述のような電源制御は、電源回路２８を介して行われる。さらに、視聴モードおよび予約録画モードの各々では、電源回路２８がバッテリ３０の残量を検知し、ＣＰＵ２６は検知結果に基づいて次のような電源制御も行う。
【００４０】
すなわち、視聴モードでは、ＣＰＵ２６は、フラッシュメモリ２２から現番組のＥＰＧ情報を取得し、取得されたＥＰＧ情報に基づいて放送終了時刻までの残り放送時間（＝Ｔｒｅｍ）つまり現時刻Ｔｃｒｎｔと現番組の放送終了時刻Ｔｅｎｄとの差分を算出する。そして、算出された残り時間をタイマＴにセットし、タイマＴをスタートする。タイマＴの値つまり残り放送時間Ｔｒｅｍは、時間の経過につれてデクリメントされていく。
【００４１】
ＣＰＵ２６はまた、電源回路２８を通してバッテリ残量を繰り返し検知し、検知結果に基づいて録画可能時間（＝Ｔｒｅｃ）を算出する。なお、録画可能時間は、バッテリ３０の残量を、バッテリ３０による記録処理回路４２への供給電力で除すことにより得られる。そして、残り放送時間Ｔｒｅｍと録画可能時間Ｔｒｅｃとを比較し、Ｔｒｅｍ≦ＴｒｅｃであればＬＣＤモニタ３４および／またはスピーカ２０を通してメッセージを出力する。メッセージによって、現番組を終了まで視聴し続けることが困難であり、録画を勧める旨が示される。
【００４２】
メッセージに応じて録画開始操作が行われると、前述と同様に、録画処理が開始され、番組表示は中断される。これによって、図２（Ａ）に示すように、録画処理は現番組の終了時刻Ｔｅｎｄまで継続され、現番組の視聴が確保される。なお、図２（Ａ）において、現時刻Ｔｃｒｎｔは録画開始操作が行われた時刻と一致し、時刻Ｔｂｒｄはメッセージを無視して視聴を続けた場合にバッテリ残量が０となるべき時刻を示す。
【００４３】
なお、上記のような視聴用の電源制御処理は、チャネル変更操作が行われたときにも実行される。
【００４４】
一方、予約録画モードでは、ＣＰＵ２６は、フラッシュメモリ２２から予約番組のＥＰＧ情報を取得し、取得されたＥＰＧ情報に基づいて予約番組の放送時間（＝Ｔｐｒｇ）を算出し、そして算出された放送時間に基づいて予約番組の録画に必要なバッテリ残量（＝Ｂｐｒｇ）をさらに算出する。
【００４５】
ＣＰＵ２６また、電源回路２８を通してバッテリ残量を繰り返し検知し、算出された残量と検知された残量とを比較し、そしてＢｒｅｍ≦Ｂｐｒｇであればスタンバイ設定を行う。
【００４６】
スタンバイ設定が行われると、キー入力装置２４およびＣＰＵ２６以外の構成要素への電力供給は停止され、キー入力装置２４およびＣＰＵ２６への電力供給も最小限に抑えられる。したがって、スタンバイ状態では、無線通信機能さえも停止され、ＣＰＵ２６はキー入力装置２４を通したスタンバイ解除操作の検出だけを行う。
【００４７】
これによって、図２（Ｂ）に示すように、スタンバイ移行時刻Ｔｓｔｂｙから放送開始時刻Ｔｓｔｒｔまでの期間の電力消費が最小限に抑えられ（図ではゼロ）、予約録画処理は予約番組の終了時刻Ｔｅｎｄまで継続される結果となる。なお、図２（Ｂ）において、時刻Ｔｂｒｄは、スタンバイ設定を行わなかった場合にバッテリ残量が０となるべき時刻を示す。
【００４８】
詳しくは、ＴＶモードにおいて、ＣＰＵ２６は、μＩＴＲＯＮなどのマルチタスクＯＳの制御下で、図３および図４に示すメインタスクと、図５に示す視聴用電源制御タスクと、図６に示す録画予約用電源制御タスクと、図７に示す予約録画タスクとを含む複数のタスクを並列的に実行する。なお、これらのフロー図に対応する制御プログラムは、フラッシュメモリ２２に格納される。
【００４９】
図３および図４を参照して、まずステップＳ１で携帯電話機１０の状態がスタンバイ状態か否かを判別し、ＮＯであればステップＳ７に進む。ステップＳ１でＹＥＳであれば、ステップＳ３に移ってスタンバイ解除操作の有無を判別する。キー入力装置２４によってスタンバイ解除操作が行われると、ステップＳ３でＹＥＳと判別し、ステップＳ５に移ってスタンバイ設定を解除する。そしてステップＳ７に進む。ステップＳ３でＮＯであればステップＳ１に戻る。
【００５０】
ステップＳ７では、チャネル切換操作の有無を判別し、ここでＹＥＳであれば、ステップＳ１１およびＳ１３の一連の処理を経てステップＳ１に戻る。ステップＳ１１ではＴＶ受信回路３８を制御してチューニングを行い、ステップＳ１３では視聴用電源制御タスクを再起動する。
【００５１】
ステップＳ７でＮＯであればステップＳ９に移って録画予約操作の有無を判別し、ここでＹＥＳであればステップＳ１５〜Ｓ１９の一連の処理を経てステップＳ１に戻る。ステップＳ１５では予約設定を行い、ステップＳ１７では録画予約用電源制御タスクを再起動し、そしてステップＳ１９では予約録画タスクを再起動する。なお、ステップＳ１５の予約設定処理には、録画予約操作の結果に基づいて録画予約情報を生成し、生成された録画予約情報をフラッシュメモリ２２に書き込む処理が含まれる。
【００５２】
ステップＳ９でＮＯであれば、ステップＳ２１に移って録画開始操作の有無を判別し、ここでＹＥＳであればステップＳ２５〜Ｓ３１の一連の処理を経てステップＳ１に戻る。ステップＳ２５では、ＬＣＤドライバ３２への電源供給の抑制を電源回路２８に命令して、ＬＣＤモニタ３４への番組表示を中断する。
【００５３】
ステップＳ２７では、記録処理回路４２を制御して、記録媒体４４への録画処理を実行する。ステップＳ２９では録画停止操作の有無を判別し、ここでＮＯであればステップＳ２７に戻り、ＹＥＳであればステップＳ３１に移る。ステップＳ３１では、ＬＣＤドライバ３２への電源供給の抑制解除を電源回路２８に命令して、ＬＣＤモニタ３４への番組表示を再開する。
【００５４】
ステップＳ２１でＮＯであれば、ステップＳ２３に移ってスタンバイ命令（Ｓ７３：後述）の有無を判別し、ここでＹＥＳであればステップＳ３３の処理を経てステップＳ１に戻る。ステップＳ３３ではスタンバイ設定を行う。これによって、電源回路２８による各構成要素への電源供給量は最小に抑えられる。
【００５５】
ステップＳ２３でＮＯであれば、ステップＳ３５の処理を経てステップＳ１に戻る。ステップＳ３５では、その他の処理たとえばＥＰＧ情報のダウンロードなどを実行する。
【００５６】
視聴用電源制御タスクは、図５のフローに従う。図５を参照して、まずステップＳ４１で現番組のＥＰＧ情報をフラッシュメモリ２２から取得し、次のステップＳ４３では取得されたＥＰＧ情報に基づいて放送終了時刻までの残り放送時間Ｔｒｅｍを算出する。その次のステップＳ４５では、算出された残り放送時間ＴｒｅｍをタイマＴにセットし、タイマＴをスタートする。そしてステップＳ４７に移る。これにより、タイマＴの値つまり残り放送時間Ｔｒｅｍは、単位時間毎にデクリメントされていく。
【００５７】
ステップＳ４７では、電源回路２８を通してバッテリ残量を検知し、検知結果に基づいて録画可能時間（＝Ｔｒｅｃ）を算出する。次のステップＳ４９では、算出された残り放送時間と算出された録画可能時間とを比較して、Ｔｒｅｍ≦Ｔｒｅｃであるか否かを判別する。ここでＮＯつまりＴｒｅｍ＞Ｔｒｅｃであれば、ステップＳ５１で所定時間たとえば１分間待機し、そしてステップＳ４７に戻る。なお、
ステップＳ４９でＹＥＳであればステップＳ５３に移り、録画を勧めるメッセージをＬＣＤモニタ３４およびまたは／スピーカ２０を通して出力する。メッセージ出力後、このタスクを終了する。
【００５８】
なお、ステップＳ４９の比較の際には、算出された残り放送時間Ｔｒｅｍと算出された録画可能時間Ｔｒｅｃとを直に比較しているが、たとえばＴｒｅｃから１分を減じた時間（Ｔｒｅｃ−１）をＴｒｅｍと比較するなど、時間に一定のマージンを持たせてもよい。
【００５９】
録画予約用電源制御タスクは、図６のフローに従う。図６を参照して、まずステップＳ６１で予約番組のＥＰＧ情報をフラッシュメモリ２２から取得し、次のステップＳ６３では取得されたＥＰＧ情報に基づいて放送時間（＝Ｔｐｒｇ）を算出する。その次のステップＳ６５では、算出された放送時間に基づいて、予約番組の録画に必要なバッテリ残量（＝Ｂｐｒｇ）を算出する。そしてステップＳ６７に移る。
【００６０】
ステップＳ６７では、電源回路２８を通して現在のバッテリ残量（＝Ｂｒｅｍ）を検知する。次のステップＳ６９では、算出された残量と検知された残量とを比較して、Ｂｒｅｍ≦Ｂｐｒｇであるか否かを判別する。
【００６１】
ステップＳ６９でＹＥＳであれば、ステップＳ７３に移ってスタンバイ命令を発行する。命令に応じてメインタスクがスタンバイ設定を行うと、このタスクは終了される。ステップＳ６９でＮＯつまりＢｒｅｍ＞Ｂｐｒｇであれば、ステップＳ７１で所定時間たとえば１分間待機した後、ステップＳ６７に戻る。
【００６２】
なお、ステップＳ６９の比較の際には、算出された残量Ｂｐｒｇと検知された残量Ｂｒｅｍとを直に比較しているが、たとえば（Ｂｒｅｍ−１）をＢｐｒｇと比較するなど、残量に一定のマージンを持たせてもよい。
【００６３】
予約録画タスクは、図７のフローに従う。図７を参照して、まずステップＳ８１で録画予約情報をフラッシュメモリ２２から取得し、次のステップＳ８３では、取得された録画予約情報に基づいて、予約番組の放送開始１分前になったか否かを判別する。ここでＹＥＳであれば、ステップＳ８５に移って準備処理を実行する。準備処理には、ＴＶ受信回路３８等への電源供給の開始や、チューニングなどの処理が含まれる。
【００６４】
準備処理が完了するとステップＳ８７に移り、予約番組の放送開始時刻が到来したか否かを判別する。ここでＹＥＳであれば、ステップＳ８９で録画処理を実行し、その後ステップＳ９１で予約番組の放送終了時刻が到来したか否かを判別する。ステップＳ９１でＮＯであればステップＳ８９に戻り、ＹＥＳであればこのタスクを終了する。
【００６５】
以上から明らかなように、この実施例の携帯電話機１０が動作するための電力は、バッテリ３０によって供給される。現在放送されている現番組（第１放送番組）は、録画操作に応答して記録媒体４４に録画され、録画処理が実行されていないときだけＬＣＤモニタ３４に表示される（Ｓ２１〜Ｓ３１）。
【００６６】
表示処理が実行されているとき、ＣＰＵ２６は、現番組の残り放送時間を繰り返し算出し（Ｓ４３，Ｓ４５）、またバッテリ３０の残量で規定される録画可能時間を繰り返し算出する（Ｓ４７）。そして、算出された残り放送時間が算出された録画可能時間を下回るとき、録画操作を促すメッセージを出力する（Ｓ５３）。
【００６７】
表示処理に要する電力は、録画処理に要する電力よりも大きい。ユーザがメッセージに応じて録画操作を行えば、表示処理は中断され、録画処理が開始される。必要なバッテリ残量のあるうちに録画処理に移行することで、現番組の残りの録画が可能となり、バッテリ残量が少ない状態であっても、現番組の視聴が確保される。
【００６８】
また、将来放送されるべき番組の録画が予約されると（Ｓ１５）、予約された予約番組（第２放送番組）は録画される（Ｓ８９）。ＣＰＵ２６は、予約処理に応答して予約録画処理の完遂に必要なバッテリ３０の残量を算出し（Ｓ６５）、予約完了から予約録画開始までの期間にバッテリ３０の残量を繰り返し検知する（Ｓ６７）。そして、検知された残量が算出された残量を下回るとき、予約録画以外の処理を禁止する（Ｓ７３，Ｓ３３）。
【００６９】
こうして無線通信機能をも停止させることで、予約録画処理の完遂が可能となり、予約番組の視聴も確保できる。
【００７０】
なお、残り放送時間の算出処理（Ｓ４３，Ｓ４５），録画可能時間の算出処理（Ｓ４７）およびバッテリ残量の検知処理（Ｓ６７）の各々は、この実施例では繰り返し実行されたが、ただ１度だけ実行された場合でも、番組視聴を確保できる場合がある。
【００７１】
以上では、一例として、携帯電話機１０について説明したが、この発明は、放送番組を視聴するための、バッテリで駆動される視聴装置に適用できる。
【図面の簡単な説明】
【００７２】
【図１】この発明の一実施例の構成を示すブロック図である。
【図２】（Ａ）は図１実施例に適用される視聴モードでのバッテリ残量の変化を示すグラフであり、（Ｂ）は図１実施例に適用される予約録画モードでのバッテリ残量の変化を示すグラフである。
【図３】図１実施例に適用されるＣＰＵの動作の一部を示すフロー図である。
【図４】図１実施例に適用されるＣＰＵの動作の他の一部を示すフロー図である。
【図５】図１実施例に適用されるＣＰＵの動作のその他の一部を示すフロー図である。
【図６】図１実施例に適用されるＣＰＵの動作のさらにその他の一部を示すフロー図である。
【図７】図１実施例に適用されるＣＰＵの動作の他の一部を示すフロー図である。
【符号の説明】
【００７３】
１０  …携帯電話機
１４  …無線通信回路
２６  …ＣＰＵ
２８  …電源回路
３０  …バッテリ
３２  …ＬＣＤドライバ
３４  …ＬＣＤモニタ
３８  …テレビ受信回路
４２  …記録処理回路
４４  …記録媒体
【図１】
0005557417.tif 000002
【図２】
0005557417.tif 000003
【図３】
0005557417.tif 000004
【図４】
0005557417.tif 000005
【図５】
0005557417.tif 000006
【図６】
0005557417.tif 000007
【図７】
0005557417.tif 000008